(57)【要約】【課題】地表に於いて、電子のラブは1束の電磁気数が7.028×1017個でできている。そしてミューニュートリノの電磁気数は1.264×1015個である。タウニュートリノの電磁気数は7.202×1015個である。それなら、ミューニュートリノとタウニュートリノも質量を持っているのではないだろうか。【解決手段】質量はm＝E÷c2です。粒子の質量＝9.628×10-41Jm÷軌道。電磁気の質量＝1.370×10-58Jm÷軌道。粒子の質量＝1.111×10-17×粒子のエネルギー。電磁気の質量＝1.111×10-17×電磁気のエネルギー。ミューオンは粒子であり、ミューニュートリノは電磁気の束である。クオークを計算するとクオークは電磁気としても計算でき粒子としても計算できる。これが粒子と電磁気の統一です。【選択図】図１
2017147799.tif 000002
【特許請求の範囲】
【請求項１】
地表に於いて、電子のラブは1束の電磁気数が7.028×1017個でできている。そしてミューニュートリノの電磁気数は1.264×1015個である。タウニュートリノの電磁気数は7.202×1015個である。それなら、ミューニュートリノとタウニュートリノも質量を持っているのではないだろうか。
○電磁気数が多い束の粒子は質量を持っているなら、電磁気にも質量が有る事に成る。
1．2015年11月5日に提出した、特願2015-216356の「請求項15」に於いて、次のように記した。
地表に於いて、電子のラブは1束の電磁気数が7.028×1017個でできる。
マイナスの宇宙の1個の電磁気のエネルギーは地表の3×108倍ですから、電磁気数は、7.028×1017個÷(3×108倍)＝2.343×109個でできる事に成る。
この場の電磁気のエネルギーは、3.769×10−21J×2.343×109＝8.831×10−12J、です。
この場のAは、8.831×10−12J÷(3.769×10−21J)＝2.343×109、です。
電子のラブができる場のAは2.343×109です。
2．2016年2月2日に提出した、特願2016-018441の「請求項２」で、ミューニュートリノの電磁気数は1.264×1015個であると理解した。
「請求項４」で、タウニュートリノの電磁気数は7.202×1015個であると理解した。
2016年2月2日に提出した特願2016-018441の「請求項7」で、電子ニュートリノは中性子が崩壊してできるとき、中性子のエネルギー＝陽子のエネルギー、と考えると、電子ニュートリノは、陽子のラブが2.746×1012回公転してできるので、2.746×1012個の電磁気数であると理解した。
1と2から、地表に於いて、電子のラブは1束の電磁気数が7.028×1017個でできている。そしてミューニュートリノの電磁気数は1.264×1015個である。タウニュートリノの電磁気数は7.202×1015個である。それなら、ミューニュートリノとタウニュートリノも質量を持っているのではないだろうか。
○ミューニュートリノとタウニュートリノと電子ニュートリノの質量を、m＝E÷ｃ２の式と、m=1.370×10-58Jm÷軌道の式により計算する。
・ミューニュートリノの質量はいくらか。
m＝E÷ｃ２＝3.044×10-14J÷(9×1016)＝3.382×10-31Kg
ミューニュートリノの電磁気の軌道＝1.233×10-41Jm÷(3.044×10-14J)＝4.051×10-28m
電磁気の質量=1.370×10-58Jm÷ミューニュートリノの軌道＝1.370×10-58Jm÷(4.051×10-28m)＝3.382×10-31Kg
但し、電磁気の質量＝1.370×10-58Jm÷軌道、の式は2016年1月8日に提出した、特願2016-003081の「請求項12」に記した。
・タウニュートリノの質量はいくらか。
m＝E÷ｃ２＝2.916×10-12J÷(9×1016)＝3.240×10-29Kg
タウニュートリノの電磁気の軌道＝1.233×10-41Jm÷(2.916×10-12J)＝4.228×10-30m
電磁気の質量=1.370×10-58Jm÷タウニュートリノの軌道＝1.370×10-58Jm÷(4.228×10-30m)＝3.240×10-29Kg
・電子ニュートリノの質量はいくらか。
m＝E÷ｃ２＝3.204×10-19J÷(9×1016)＝3.560×10-36Kg
電子ニュートリノの電磁気の軌道＝1.233×10-41Jm÷(3.204×10-19J)＝3.848×10-23m
電磁気の質量=1.370×10-58Jm÷電子ニュートリノの軌道＝1.370×10-58Jm÷(3.848×10-23m)＝3.560×10-36Kg
この事を表に示す。
m＝E÷ｃ２と、電磁気の質量＝1.370×10-58Jm÷軌道、の式により計算したミューニュートリノとタウニュートリノと電子ニュートリノの質量
表１５
2017147799.tif 000017
この事により理解できた事。
1．2016年1月8日に提出した、特願2016-003081の「請求項12」に記した、電磁気の質量＝1.370×10-58Jm÷軌道、の式は正しかった。
2．電磁気の軌道により、電磁気の質量は求められる。
3．電磁気の質量を軌道から求める事ができる。
4．電磁気の質量は軌道に現れる。
5．質量の大きい電磁気ほど軌道は小さい。
【請求項２】
ミューオンとタウ粒子と電子のラブの質量はいくらか。m＝E÷ｃ２と、粒子の質量=9.628×10-41Jm÷軌道、の式により計算する。
2016年1月8日に提出した、特願2016-003081の「請求項11」に、粒子の質量=9.628×10-41Jm÷軌道、と記した。
・ミューオンの質量はいくらか。
m＝E÷ｃ２＝1.693×10-11J÷(9×1016)＝1.881×10-28Kg
ミューオンの公転軌道＝8.665×10-24Jm÷(1.693×10-11J)＝5.118×10-13m
粒子の質量=9.628×10-41Jm÷軌道＝9.628×10-41Jm÷(5.118×10-13m)＝1.881×10-28Kg
・タウ粒子の質量はいくらか。
m＝E÷ｃ２＝2.846×10-10J÷(9×1016)＝3.162×10-27Kg
タウ粒子の公転軌道＝8.665×10-24Jm÷(2.846×10-10J)＝3.045×10-14m
粒子の質量=9.628×10-41Jm÷軌道＝9.628×10-41Jm÷(3.045×10-14m)＝3.162×10-27Kg
・電子のラブの質量はいくらか。(これは特願2016-003081の「請求項11」に記した)
m＝E÷ｃ２＝8.187×10-14J÷(9×1016)＝9.097×10-31Kg
電子のラブの公転軌道＝8.665×10-24Jm÷(8.187×10-14J)＝1.058×10-10m
粒子の質量=9.628×10-41Jm÷軌道＝9.628×10-41Jm÷(1.058×10-10m)＝9.100×10-31Kg
この事を表に示す。
m＝E÷ｃ２と、ラブの質量=9.628×10-41Jm÷軌道、の式より計算するミューオンとタウ粒子と電子のラブの質量
表１６
2017147799.tif 000018
この事により理解できた事。
1．2016年1月8日に提出した、特願2016-003081の「請求項11」に記した、ラブの質量=9.628×10-41Jm÷軌道、の式は正しかった。
2．粒子の質量を求める式は、E=mｃ2だけではない。粒子の質量を求める式は、粒子の質量＝9.628×10-41Jm÷軌道、でもある。
3．粒子の質量を軌道から求める事ができる。
4．粒子の質量は軌道に現れる。
5．質量の大きい粒子の軌道ほど軌道は小さい。
【請求項３】
電磁気の質量と電磁気のエネルギーの関係式はどのようであるか。
電磁気の軌道エネルギー＝1.233×10-41Jm
電磁気の軌道＝1.233×10-41Jm÷エネルギー
電磁気の質量＝1.370×10-58Jm÷軌道＝1.370×10-58Jm÷(1.233×10-41Jm÷エネルギー)＝1.111×10-17×エネルギー
よって、電磁気の質量＝1.111×10-17×電磁気のエネルギー、です。
電磁気の質量と電磁気のエネルギーの関係式は、電磁気の質量＝1.111×10-17×電磁気のエネルギー、です。
電磁気のエネルギー＝電磁気の質量÷(1.111×10-17)＝電磁気の質量×9.001×1016
電磁気の質量と電磁気のエネルギーの関係式は、電磁気のエネルギー＝9.001×1016×電磁気の質量、です。
電磁気の質量と電磁気のエネルギーの関係式は、電磁気のエネルギー÷電磁気の質量＝9.001×1016、です。
ミューニュートリノの場合。
電磁気の質量＝1.111×10-17×電磁気のエネルギー＝1.111×10-17×3.044×10-14J＝3.382×10-31Kg
電磁気1個の質量＝1.111×10-17×電磁気1個のエネルギー＝1.111×10-17×2.409×10-29J＝2.676×10-46Kg
ミューニュートリノの電磁気のエネルギーは3.044×10-14Jで、電磁気の質量は3.382×10-31Kgです。
ミューニュートリノの電磁気1個のエネルギーは2.409×10-29Jで、電磁気1個の質量は2.676×10-46Kgです。
電磁気のエネルギー÷電磁気の質量＝3.044×10-14J÷(3.382×10-31Kg)＝9.001×1016
電磁気1個のエネルギー÷電磁気1個の質量＝2.409×10-29J÷(2.676×10-46Kg)＝9.002×1016
タウニュートリノの場合。
電磁気の質量＝1.111×10-17×電磁気のエネルギー＝1.111×10-17×2.846×10-10J＝3.162×10-27Kg
電磁気1個の質量＝1.111×10-17×電磁気1個のエネルギー＝1.111×10-17×4.049×10-28＝4.499×10-45Kg
タウニュートリノの電磁気のエネルギーは2.846×10-10Jで、電磁気の質量は4.499×10-45Kgです。
タウニュートリノの電磁気1個のエネルギーは4.049×10-28Jで、電磁気の質量は3.162×10-27Kg です。
電磁気のエネルギー÷電磁気の質量＝2.846×10-10J÷(3.162×10-27Kg)＝9.001×1016
電磁気1個のエネルギー÷電磁気1個の質量＝4.049×10-28J÷(4.499×10-45Kg)＝9.000×1016
電子ニュートリノの場合。
電磁気の質量＝1.111×10-17×電磁気のエネルギー＝1.111×10-17×3.204×10-19J＝3.560×10-36Kg
電磁気1個の質量＝1.111×10-17×電磁気1個のエネルギー＝1.111×10-17×1.167×10-31J＝1.297×10-48Kg
電子ニュートリノのエネルギーは8.187×10-14Jで、電磁気の質量は9.096×10-31Kg です。
電子ニュートリノの電磁気1個のエネルギーは1.167×10-31Jで、電磁気1個の質量は1.297×10-48Kgです。
電磁気のエネルギー÷電磁気の質量＝3.204×10-19J÷(3.560×10-36Kg)＝9.000×1016
電磁気1個のエネルギー÷電磁気1個の質量＝1.167×10-31J÷(1.297×10-48Kg)＝8.998×1016
この事をまとめて表に示す。
電磁気の質量と電磁気のエネルギーの関係式
表１７
2017147799.tif 000019
この式により理解できる事。
1．電磁気の質量＝1.111×10-17×電磁気のエネルギーの式により電磁気のエネルギーによりその質量が計算できる。
2．この式により、電磁気の個数がいくらでも計算できる。
3．電磁気のエネルギーの中にその質量が存在する。
4．電磁気のエネルギー１Jの中に、1.111×10−17Kgの質量が存在する。
5．電磁気のエネルギーが大きい程質量は大きい。
この事をまとめて表に示す。
電磁気の質量と電磁気のエネルギーの関係式
表１８
2017147799.tif 000020
【請求項４】
粒子の質量＝9.628×10-41Jm÷軌道の式と、電磁気の質量＝1.370×10-58Jm÷軌道の式と、m＝E÷c2の式と、電磁気の質量＝1.111×10-17×電磁気のエネルギーの式と、電磁気のエネルギー＝9.001×1016×電磁気の質量の式は成立する。これを「素粒子の質量と電磁気の質量の統一」と名付ける。
○電磁気には質量が無いはずなのに、電磁気を質量として計算できる。
このことは、質量エネルギーとは、質量としても表現でき、エネルギーとしても表現できる、事をしめす。
質量はエネルギーに還元でき、エネルギーは質量に還元できる。たとえそれが電磁気であっても電磁気のエネルギーは質量に換算できる。
換算はできるけれども、変換はできない。エネルギーを質量に変換はできない。
この事は何を意味するか。
1．「電磁気と質量の統一」を意味する。
2．電磁気には質量が無いように見えるが、真実には電気には質量が存在する。
・電磁気体は何個の電磁気でできているか。
ミユーニュートリノのエネルギー÷電磁気1個のエネルギー＝3.044×10-14J÷(2.409×10-29J)＝1.264×1015個
タウニュートリノのエネルギー÷電磁気1個のエネルギー＝2.916×10−12J÷(4.049×10-28J)＝7.202×1015個
電子ニュートリノのエネルギー÷電磁気1個のエネルギー＝3.204×10-19J÷(1.167×10-31J)＝2.746×1012個
・電磁気の個数と電磁気1個の質量
ミユーニュートリノは電気数が1.264×1015個1束に成っていて質量は3.382×10-31Kgです。
電磁気1個の質量＝3.382×10-31Kg÷(1.264×1015個)＝2.676×10-46Kg
タウニュートリノは電気数が7.202×1015個1束に成っていて質量は3.162×10-27Kgです。
電磁気1個の質量＝3.162×10-27Kg÷(7.202×1015個)＝4.499×10-45Kg
電子ニュートリノは電気数が2.746×1012個1束に成っていて質量は1.296×10-48Kgです。
この事を表に示す。
電磁気体の電磁気数と電磁気1個の質量
表１９
2017147799.tif 000021
【請求項５】
粒子の質量と粒子のエネルギーの関係式はどのようであるか。
電磁気1個は1個の粒子でもあるので、電磁気1個を粒子1個と理解する。電磁気1個のエネルギー＝電磁気1個の粒子のエネルギー
粒子の軌道エネルギー＝8.665×10-24Jm
粒子の軌道＝8.665×10-24Jm÷粒子のエネルギー
粒子の質量＝9.628×10-41Jm÷粒子の軌道＝9.628×10-41Jm÷(8.665×10-24Jm÷エネルギー)＝1.111×10-17×エネルギー
よって、粒子の質量＝1.111×10-17×粒子のエネルギー、です。
粒子の質量と粒子のエネルギーの関係式は、粒子の質量＝1.111×10-17×粒子のエネルギーです。
粒子のエネルギー＝粒子の質量÷(1.111×10-17)＝粒子の質量×9.001×1016
粒子の質量と粒子のエネルギーの関係式は、粒子のエネルギー＝粒子の質量×9.001×1016J/Kgです。
粒子の質量と粒子のエネルギーの関係式は、粒子のエネルギー÷粒子の質量＝9.001×1016 J/Kgです。
この式は、電磁気の質量と電磁気のエネルギーの関係式と同じです。
ミューオンの場合。
ミューオンの質量＝1.111×10-17×ミューオンのエネルギー＝1.111×10-17×2.846×10-10J ＝3.162×10-27Kg
ミューオンの電磁気1個の粒子の質量=1.111×10-17×電磁気1個の粒子のエネルギー＝1.111×10-17×2.409×10-29J＝2.676×10-46Kg
ミューオンの粒子のエネルギーは2.846×10-10Jで、ミューオンの質量は3.162×10-27Kgです。
ミューオンの電磁気1個の粒子のエネルギーは2.409×10-29Jで、ミューオンの電磁気1個の粒子の質量は2.676×10-46Kgです。
ミューオンのエネルギー÷ミューオンの質量＝2.846×10-10J÷(3.162×10-27Kg)＝9.001×1016J/Kg
ミューオンの電磁気1個の粒子のエネルギー÷ミューオンの電磁気1個の粒子の質量＝2.409×10-29J÷(2.676×10-46Kg)＝9.002×1016 J/Kg
タウ粒子の場合。
タウ粒子の質量＝1.111×10-17×タウ粒子のエネルギー＝1.111×10-17×1.693×10-11J＝1.881×10-28Kg
タウ粒子の電磁気1個の粒子の質量=1.111×10-17×電磁気1個の粒子のエネルギー＝1.111×10-17×4.049×10-28J＝4.498×10-45Kg
タウ粒子のエネルギーは1.693×10-11Jで、タウ粒子の質量は1.881×10-28Kgです。
タウ粒子の電磁気1個の粒子のエネルギーは4.049×10-28Jで、タウ粒子の電磁気1個の粒子の質量は4.498×10-45Kgです。
タウ粒子のエネルギー÷タウ粒子質量＝1.693×10-11J÷(1.881×10-28Kg)＝9.001×1016 J/Kg
タウ粒子の電磁気1個の粒子のエネルギー÷タウ粒子の電磁気1個の粒子の質量＝4.049×10-28J÷(4.498×10-45Kg)＝9.002×1016 J/Kg
電子のラブの場合。
電子のラブの質量＝1.111×10-17×電子のラブのエネルギー＝1.111×10-17×8.187×10-14J＝9.096×10-31Kg
電子のラブの電磁気1個の粒子の質量=1.111×10-17×電子のラブ電磁気1個の粒子のエネルギー＝1.111×10-17×1.165×10-31J＝1.294×10-48Kg
電子のラブのエネルギーは8.187×10-14Jで、電子のラブの質量は9.096×10-31Kgです。
電子のラブの電磁気1個の粒子のエネルギーは1.165×10-31Jで、電子のラブの電磁気1個の粒子の質量は1.294×10-48Kgです。
電子のラブのエネルギー÷電子のラブの質量＝8.187×10-14J÷(9.096×10-31Kg)＝9.001×1016 J/Kg
電子のラブの電磁気1個の粒子のエネルギー÷電子のラブの電磁気1個の粒子の質量＝1.165×10-31J÷(1.294×10-48Kg)＝9.003×1016 J/Kg
この事をまとめて表に示す。
粒子の質量と粒子のエネルギーの関係式
表２０
2017147799.tif 000022
この事により理解できる事。
1．粒子のエネルギーにより、その粒子の質量が計算できる。
2．粒子の質量により、その粒子のエネルギーが計算できる。
この事をまとめて表に記す。
粒子の質量と粒子のエネルギーの関係
表２１
2017147799.tif 000023
【請求項６】
粒子の質量＝9.628×10-41Jm÷軌道の式と、電磁気の質量＝1.370×10-58Jm÷軌道の式と、m＝E÷c2の式と、電磁気の質量＝1.111×10-17×電磁気のエネルギーの式と、粒子の質量＝1.111×10-17×粒子のエネルギーの式は成立する。これを「粒子の質量と電磁気の質量の統一」と名付ける。
ミューオンとタウ粒子と電子のラブの場合、粒子の質量＝9.628×10-41Jm÷軌道の式と、m＝E÷c2の式と、粒子の質量＝1.111×10-17×粒子のエネルギーの式は成立する。
・粒子は何個の電磁気の粒子でできているか。
ミューオンのエネルギー÷電磁気1個の粒子のエネルギー＝1.693×10-11J÷(2.409×10-29J)＝7.028×1017個
タウ粒子のエネルギー÷電磁気1個の粒子のエネルギー＝2.846×10-10J÷(4.049×10-28J)＝7.029×1017個
電子のラブのエネルギー÷電磁気1個の粒子のエネルギー＝8.187×10-14J÷(1.165×10-31J)＝7.027×1017個
・粒子の電磁気の粒子の個数と電磁気1個の粒子の質量
ミューオンは電磁気が7.028×1017個1束に成っていて、質量は1.881×10-28Kgです。
電磁気1個の粒子の質量＝1.881×10-28Kg÷(7.028×1017個)＝2.676×10-46Kg
タウ粒子は電磁気が7.029×1017個1束に成っていて、質量は3.162×10-27Kgです。
電磁気1個の粒子の質量＝3.162×10-27Kg÷(7.029×1017個)＝4.499×10-45Kg
電子のラブは電磁気が7.027×1017個1束に成っていて、質量は9.097×10-31Kgです。
電磁気1個の粒子の質量＝9.097×10-31Kg÷(7.028×1017個)＝1.294×10-48Kg
・粒子の電磁気のエネルギーと質量
ミューオンの電磁気1個の粒子のエネルギーは2.409×10-29Jで、電磁気1個の粒子の質量は2.676×10-46Kg です。
ミューオンの電磁気1個の粒子のエネルギー÷電磁気1個の粒子の質量＝2.409×10-29J÷(2.676×10-46Kg)＝9.002×1016J/Kg  
タウ粒子の電磁気1個の粒子のエネルギーは4.049×10-28Jで、電磁気1個の質量は4.498×10-45Kgです。
タウ粒子の電磁気1個の粒子のエネルギー÷電磁気1個の粒子の質量＝4.049×10-28J÷(4.498×10-45Kg)＝9.002×1016 J/Kg
電子のラブの電磁気1個の粒子のエネルギーは1.165×10-31Jで、電磁気1個の粒子の質量は1.294×10-48Kgです。
電子のラブの電磁気1個の粒子のエネルギー÷電磁気1個の粒子の質量＝1.165×10-31J÷(1.294×10-48Kg)＝9.003×1016 J/Kg
この事を表に示す。
電磁気1個の粒子のエネルギーと電磁気1個の粒子の質量と粒子は何個の電磁気の粒子でできるか。
表２２
2017147799.tif 000024
【請求項７】
電磁気の質量＝1.111×10-17×電磁気のエネルギー、です。粒子の質量＝1.111×10-17×粒子のエネルギー、です。電磁気のエネルギー÷電磁気の質量＝9.001×1016J/Kg、です。粒子のエネルギー÷粒子の質量＝9.001×1016J/Kg、です。この事によって、理解できる事は何か。
電磁気のエネルギー÷電磁気の質量＝9.001×1016J/Kg、です。
粒子のエネルギー÷粒子の質量＝9.001×1016J/Kg、です。
この意味する事は、１Kgの質量には9.001×1016Jのエネルギーが存在するという事です。
即ち、E=mc2、です。質量１Kgには9.001×1016Jのエネルギーが存在するという事です。
電磁気のエネルギー÷電磁気の質量＝粒子のエネルギー÷粒子の質量＝9.001×1016J/Kg、です。
電磁気は粒子です。それで、粒子は電磁気の粒子です。粒子は電磁気の粒子の集合体です。
この事を表に示す。
電磁気のエネルギー÷電磁気の質量＝粒子のエネルギー÷粒子の質量＝9.001×1016J/Kg
表２３
2017147799.tif 000025
【請求項８】
クオークの場合はどうであるか。
陽子の中のクオークは1束の電磁気数は6.249×108個です。それで、クオークも質量を持っているのではないだろうか。
3.1MeVのクオークの場合。
・3.1MeVのクオークの電磁気としての質量
m=E÷c2＝4.966×10-13J÷(9×1018)＝5.518×10-30Kg
電磁気の質量＝1.370×10-58Jm÷軌道
軌道＝1.233×10-41Jm÷(4.966×10-13J)＝2.483×10-29m
電磁気の質量＝1.370×10-58Jm÷軌道＝1.370×10-58Jm÷(2.483×10-29m)＝5.518×10-30Kg
電磁気の質量＝1.111×10-17×電磁気のエネルギー＝1.111×10-17×4.966×10-13J＝5.517×10-30Kg
・3.1MeVのクオーク粒子としての質量
m=E÷c2＝4.966×10-13J÷(9×1018)＝5.518×10-30Kg
軌道＝8.665×10-24Jm÷(4.966×10-13J)＝1.745×10-11m
粒子の質量＝9.628×10-41Jm÷軌道＝9.628×10-41Jm÷(1.745×10-11m)＝5.517×10-30Kg
粒子の質量＝1.111×10-17×粒子のエネルギー＝1.111×10-17×4.966×10-13J＝5.517×10-30Kg
・電磁気の個数と電磁気1個の質量
3.1MeVのクオークは電磁気数が6.249×108個1束に成っていて、質量は5.517×10-30Kgです。
電磁気1個の質量＝5.517×10-30Kg÷(6.249×108個)＝8.829×10-39Kg
・電磁気の質量と電磁気のエネルギーの関係
3.1MeVのクオークの電磁気のエネルギーは4.966×10-13Jで電子気の質量は5.518×10-30Kgです。
電磁気のエネルギー÷電子気の質量＝4.966×10-13J÷(5.518×10-30Kg)＝9.000×1016 J/Kg
3.1MeVのクオークの電磁気1個のエネルギーは7.948×10-22Jで、電磁気1個の質量は8.829×10-39Kgです。
電磁気1個のエネルギー÷電磁気1個の質量＝7.948×10-22J÷(8.829×10-39Kg)＝9.002×1016 J/Kg
・粒子は何個の電磁気でできているか。
3.1MeVのクオークのエネルギー÷1個の電磁気のエネルギー＝4.966×10-13J÷(7.948×10-22J)＝6.248×108個
・粒子の電磁気の個数と電磁気1個の粒子の質量
3.1MeVのクオークは電磁気数が6.248×108個1束に成っていて、粒子の質量は5.518×10-30Kgです。
電磁気1個の粒子の質量＝5.518×10-30Kg÷(6.248×108個)＝8.832×10-39Kg
・粒子の質量と粒子のエネルギーの関係
3.1MeVのクオークの粒子のエネルギーは4.966×10-13Jで粒子の質量は5.517×10-30Kgです。
粒子のエネルギー÷粒子の質量＝4.966×10-13J÷(5.517×10-30Kg)＝9.001×1016 J/Kg
3.1MeVのクオークの電磁気1個の粒子のエネルギーは7.948×10-22Jで、電磁気1個の粒子の質量は8.832×10-39Kg です。
電磁気1個の粒子のエネルギー÷電磁気1個の粒子の質量＝7.948×10-22J÷(8.832×10-39Kg)＝8.999×1016 J/Kg
この事をまとめて表に示す。
3.1MeVのクオークの電磁気としての性質と粒子としての性質
表２４
2017147799.tif 000026
この事により理解できる事。
1．クオークは粒子としても計算でき電磁気としても計算できる。
2．クオークは粒子でもあり、電磁気でもある。
【請求項９】
クオークの場合は電磁気の束であるのに、電磁気としても粒子としても質量が計算できる。それで、粒子のミューニュートリノと粒子のタウニュートリノと粒子の電子のニュートリノについて計算する。
○電磁気を粒子として計算する。
・ミューニュートリノの場合。
・ミューニュートリノのエネルギーは0.19MeV＝3.044×10-14Jです。
これを粒子と見做す。
軌道は、8.665×10-24Jm÷(3.044×10-14J)＝2.847×10-10m、です。
粒子の質量＝9.628×10-41Jm÷(2.847×10-10m)＝3.382×10-31Kg。
粒子の質量＝1.111×10-17×粒子のエネルギー＝1.111×10-17×3.044×10-14J＝3.382×10-31Kg。
・粒子は何個の電磁気の粒子でできているか。
ミューニュートリノのエネルギー÷電磁気1個の粒子のエネルギー＝3.044×10-14J÷(2.409×10-29J)＝1.264×1015個
・電磁気の１個数の粒子の質量。
電磁気の１個数の粒子の質量＝粒子の質量÷電磁気の粒子の個数＝3.382×10-31Kg÷(1.264×1015個)＝2.676×10-46Kg
・電磁気1個の粒子のエネルギーは2.409×10-29Jで、電磁気1個の粒子の質量は2.676×10-46Kgです。
・電磁気1個の粒子のエネルギー÷電磁気1個の粒子の質量＝2.409×10-29J÷2.676×10-46Kg＝9.002×1016 J/Kg
・タウニュートリノの場合。
・タウニュートリノのエネルギーは18.2MeV＝2.916×10-12Jです。
これを粒子と見做す。
軌道は、8.665×10-24Jm÷(2.916×10-12J)＝2.972×10-12m、です。
粒子の質量＝9.628×10-41Jm÷(2.972×10-12m)＝3.240×10-29Kg。
粒子の質量＝1.111×10-17×粒子のエネルギー＝1.111×10-17×2.916×10-12J＝3.240×10-29Kg。
・粒子は何個の電磁気の粒子でできているか。
タウニュートリノのエネルギー÷電磁気1個の粒子のエネルギー＝2.916×10-12J÷(4.049×10-28J)＝7.202×1015個
・電磁気の１個の粒子の質量。
電磁気の１個数の質量＝粒子の質量÷電磁気の粒子の個数＝3.240×10-29Kg÷(7.202×1015個)＝4.499×10-45Kg
・電磁気1個の粒子のエネルギーは4.049×10-28Jで、電磁気1個の粒子の質量は4.499×10-45Kgです。
・電磁気1個の粒子のエネルギー÷電磁気1個の粒子の質量＝4.049×10-28J÷(4.499×10-45Kg)＝9.000×1016 J/Kg
電子ニュートリノの場合。
電子ニュートリノのエネルギーは2eV＝3.204×10-19J です。
これを粒子と見做す。
軌道は、8.665×10-24Jm÷(3.204×10-19J)＝2.704×10-5m、です。
粒子の質量＝9.628×10-41Jm÷(2.704×10-5m)＝3.561×10-36Kg。
粒子の質量＝1.111×10-17×粒子のエネルギー＝1.111×10-17×3.204×10-19J＝3.560×10-36Kg。
・粒子は何個の電磁気の粒子でできているか。
電子ニュートリノのエネルギー÷電磁気1個の粒子のエネルギー＝3.204×10-19J÷(1.165×10-31J)＝2.750×1012個
・電磁気の１個の粒子の質量。
電磁気の１個の粒子の質量＝粒子の質量÷電磁気の粒子の個数＝3.561×10-36Kg÷(2.750×1012個)＝1.295×10-48Kg
・電磁気1個の粒子のエネルギーは1.165×10-31Jで、電磁気1個の粒子の質量は1.295×10-48Kgです。
・電磁気1個の粒子のエネルギー÷電磁気1個の粒子の質量＝1.165×10-31J÷(1.295×10-48Kg)＝8.996×1016 J/Kg
この事を表に示す。
粒子のミューニュートリノと粒子のタウニュートリノと粒子の電子ニュートリノの粒子としての性質。
表２５
2017147799.tif 000027
【請求項１０】
クオークの場合は電磁気の束であるのに、電磁気としても粒子としても質量が計算できる。それで、ミューオンの電磁気、タウ粒子の電磁気、電子のラブの電磁気について計算する。
○電磁気として計算する。
ミューオンの場合。
ミューオンのエネルギーは105.658MeV=1.693×10-11Jです。
これを電磁気と見做す。
この電磁気の軌道は、1.233×10−41Jm÷(1.693×10-11J)＝7.283×10-31m
電磁気の質量＝1.370×10-58Jm÷軌道＝1.370×10-58Jm÷(7.283×10-31m)＝1.881×10-28Kg。
電磁気の質量＝1.111×10-17×電磁気のエネルギー＝1.111×10-17×1.693×10-11J＝1.881×10-28Kg。
ミューオンの電磁気1個のエネルギーは2.409×10-29Jです。
・電磁気の個数と電磁気1個の質量
電磁気の個数＝ミューオンのエネルギー÷電気の光子1個のエネルギー＝1.693×10-11J÷(2.409×10-29J)＝7.028×1017個
電磁気1個の質量＝電磁気の質量÷電磁気の個数＝1.881×10-28Kg÷(7.028×1017個)＝2.676×10-46Kg。
・電磁気の質量と電磁気のエネルギーの関係
電磁気1個のエネルギー÷電磁気1個の質量＝2.409×10-29J÷(2.676×10-46Kg)＝9.002×1016 J/Kg
タウ粒子の場合
タウ粒子のエネルギーは1776.8MeV＝2.846×10-10Jです。
この電磁気の軌道は、1.233×10−41Jm÷(2.846×10-10J)＝4.332×10-32m、です。
電磁気の質量＝1.370×10-58Jm÷軌道＝1.370×10-58Jm÷(4.332×10-32m)＝3.163×10-27Kg.
電磁気の質量＝1.111×10-17×電磁気のエネルギー＝1.111×10-17×2.846×10-10J＝3.162×10-27Kg
タウ粒子の電磁気1個のエネルギーは4.049×10-29Jです。
・電磁気の個数と電磁気1個の質量
電磁気の個数＝タウ粒子のエネルギー÷電気の光子1個のエネルギー＝2.846×10-10J÷(4.049×10-28J)＝7.029×1017個
電磁気1個の質量＝電磁気の質量÷電磁気の個数＝3.162×10-27Kg÷(7.028×1017個)＝4.499×10-45Kg。
・電磁気の質量と電磁気のエネルギーの関係
電磁気1個のエネルギー÷電磁気1個の質量＝4.049×10-28J÷(4.499×10-45Kg)＝9.000×1016 J/Kg
電子のラブの場合。
電子のラブのエネルギーは8.187×10-14Jです。
この電磁気の軌道は、1.233×10−41Jm÷(8.187×10-14J)＝1.506×10-28m、です。
電磁気の質量＝1.370×10-58Jm÷軌道＝1.370×10-58Jm÷(1.506×10-28m)＝9.097×10-31Kg
電磁気の質量＝1.111×10-17×電磁気のエネルギー＝1.111×10-17×8.187×10-14J＝9.096×10-31Kg
電子のラブの電磁気1個のエネルギーは1.165×10-31Jです。
・電磁気の個数と電磁気1個の質量
電磁気の個数＝電子のラブのエネルギー÷電気の光子1個のエネルギー＝8.187×10-14J÷(1.165×10-31J)＝7.027×1017個
電磁気1個の質量＝電磁気の質量÷電磁気の個数＝9.096×10-31Kg÷(7.027×1017個)＝1.294×10-48Kg、です。
・電磁気の質量と電磁気のエネルギーの関係
電磁気1個のエネルギー÷電磁気1個の質量＝1.165×10-31J÷(1.294×10-48Kg)＝9.003×1016 J/Kg
まとめて表に示す。
ミューオンの電磁気とタウ粒子の電磁気と、電子のラブの電磁気
表２６
2017147799.tif 000028
【請求項１１】
ミューオンは粒子であり電磁気でもある。タウ粒子は粒子であり電磁気でもある。電子のラブは粒子であり電磁気でもある。ミューニュートリノは電磁気の束であり粒子である。タウニュートリノは電磁気の束であり粒子である。電子ニュートリノは電磁気の束であり粒子である。クオークは電磁気の束であり粒子である。この事は何を示しているか。
すべての物は電磁気である事を示している。
電磁気のエネルギー÷電磁気の質量＝9.001×1016J/Kg
粒子のエネルギー÷粒子の質量＝9.001×1016J/Kg
この意味する事は、１Kgの質量には9.001×1016Jのエネルギーが存在するという事です。
【請求項１２】
陽子のラブの場合はどのようであるか。
○粒子を粒子として計算する。
陽子のラブのエネルギーは938.272MeV＝938.272×1.602×10-19J×106＝1.503×10-10J、です。
軌道は、8.665×10-24Jm÷(1.503×10-10J )＝5.765×10-14m、です。
粒子の質量＝9.628×10-41Jm÷軌道＝9.628×10-41Jm÷(5.765×10-14m)＝1.670×10-27Kg。
粒子の質量＝1.111×10-17×粒子のエネルギー＝1.111×10-17×1.503×10-10J ＝1.670×10-27Kg。
陽子のラブの電磁気1個のエネルギーは陽子のラブが1公転で作る電気の光子のエネルギーですから、1.164×10-31Jです。
・粒子は何個の電磁気でできているか。
陽子のラブのエネルギー÷電磁気1個のエネルギー＝1.503×10-10J ÷(1.164×10-31J)＝1.291×1021個
・電磁気の１個の粒子の質量。
電磁気の１個の粒子の質量＝粒子の質量÷電磁気の個数＝1.670×10-27Kg÷(1.291×1021個)＝1.294×10-48Kg
・電磁気1個粒子のエネルギーは1.164×10-31Jで、質量は1.294×10-48Kgです。
○粒子を電磁気として計算する。
陽子のラブの場合。
陽子のラブのエネルギーは、938.272MeV＝938.272×1.602×10-19J×106＝1.503×10-10J、です。
この電磁気の軌道は、1.233×10−41Jm÷(1.503×10-10J)＝8.204×10-32m、です。
電磁気の質量＝1.370×10-58Jm÷軌道＝1.370×10-58Jm÷(8.204×10-32m)＝1.670×10-27Kg
電磁気の質量＝1.111×10-17×電磁気のエネルギー＝1.111×10-17×1.503×10-10J ＝1.670×10-27Kg
陽子のラブの電磁気1個のエネルギーは陽子のラブが1公転で作る電気の光子のエネルギーですから、1.164×10-31Jです。
・電磁気の個数と質量
電磁気の個数＝電子のラブのエネルギー÷電気の光子1個のエネルギー＝1.503×10-10J÷(1.164×10-31J)＝1.291×1021個
電磁気1個の質量＝電磁気の質量÷電磁気の個数＝1.670×10-27Kg÷(1.291×1021個)＝1.294×10-48Kg
・電磁気の質量と電磁気のエネルギーの関係
電磁気1個のエネルギー÷電磁気1個の質量＝1.164×10-31J÷(1.294×10-48Kg)＝8.995×1016
まとめて表に示す。
陽子のラブは粒子でもあり電磁気でもある
表２７
2017147799.tif 000029
【請求項１３】
素粒子の崩壊と素粒子のできた場のAと素粒子の束の電磁気数について。
電子のラブは崩壊しない。
ミューオンとタウ粒子は崩壊する。
電子ニュートリノとミューニュートリノとタウニュートリノは崩壊しない。しかし衝突したとき崩壊する。
クオークは崩壊する。
この原因は、素粒子ができた場のエネルギーによる。
高エネルギーの場でできた素粒子ほど引力の大きい場でできたので、拘束力が大きい。それで、崩壊しない。
拘束力は軌道に現れる。
その事を記す。
電子のラブの軌道は1.058×10-10mです。電子のラブはできた場のAはA=7×1017であるから崩壊しない。
タウ粒子の軌道は3.045×10-14mです。それで、崩壊する。
ミュー粒子の軌道は5.118×10-13mです。それで、崩壊する。
電子のラブができた場は、A=7×1017です。
電子ニュートリノができた場は、太陽の中央のA=3.873×103です。
タウ粒子ができた場は、太陽の中のA=3.475×103です。
ミューオンができた場は、太陽の中のA=2.067×102です。
それで、タウニュートリノはミューニュートリノより崩壊し難い。
太陽から放出した電子ニュートリノ、タウニュートリノ、ミューニュートリノの順に崩壊し難い。
しかし、衝突したとき崩壊する。
クオークは加速器で、地表の3×108倍のエネルギーを作ってできたものであり、この場のエネルギーが存在しない地表ではただちに崩壊する。
この事を表に示す。
素粒子の崩壊とできた場のAと束の電磁気数
表２８
2017147799.tif 000030
【発明の詳細な説明】
【技術分野】
【０００１】
本発明は、粒子の質量と電磁気の質量の統一に関するものである。
【背景技術】
【０００２】
・2015年11月5日に提出した、特願2015-216356の「請求項15」に於いて、次のように記した。(地表に於いて、電子のラブは1束の電磁気数が7.028×1017個でできる。
マイナスの宇宙の1個の電磁気のエネルギーは地表の3×108倍ですから、電磁気数は、7.028×1017個÷(3×108倍)＝2.343×109個でできる事に成る。
この場の電磁気のエネルギーは、3.769×10−21J×2.343×109＝8.831×10−12J、です。
この場のAは、8.831×10−12J÷(3.769×10−21J)＝2.343×109、です。
電子のラブができる場のAは2.343×109です。)
・2016年2月2日に提出した、特願2016-018441の「請求項２」で、ニューニュートリノの電磁気数は1.264×1015個であると理解した。
「請求項４」で、タウニュートリノの電磁気数は7.202×1015個であると理解した。
・2016年1月8日に提出した、特願2016-003081の「請求項12」で、電磁気の質量＝1.370×10-58Jm÷軌道、であると理解した。
「請求項11」で、ラブの質量=9.628×10-41Jm÷軌道、と理解した。
・2016年2月2日に提出した特願2016-018441の「請求項7」で、電子ニュートリノは中性子が崩壊してできるとき、中性子のエネルギー＝陽子のエネルギー、と考えると、電子ニュートリノは、陽子のラブが2.746×1012回公転してできるので、2.746×1012個の電磁気数であると理解した。
【先行技術文献】
【特許文献】
【０００３】
【特許文献１】特願2015-216356
【特許文献１】特願2016-003081
【特許文献１】特願2016-018441
【発明の概要】
【発明が解決しようとする課題】
【０００４】
1．地表に於いて、電子のラブは1束の電磁気数が7.028×1017個でできている。そしてミューニュートリノの電磁気数は1.264×1015個である。タウニュートリノの電磁気数は7.202×1015個である。それなら、ミューニュートリノとタウニュートリノも質量を持っているのではないだろうか。
2．ミューオンとタウ粒子と電子のラブの質量はいくらか。m＝E÷ｃ２と、粒子の質量=9.628×10-41Jm÷軌道、の式により計算する。
3．電磁気の質量と電磁気のエネルギーの関係式はどのようであるか。
4．粒子の質量＝9.628×10-41Jm÷軌道の式と、電磁気の質量＝1.370×10-58Jm÷軌道の式と、m＝E÷c2の式と、電磁気の質量＝1.111×10-17×電磁気のエネルギーの式と、電磁気のエネルギー＝9.001×1016×電磁気の質量の式は成立する。これを「素粒子の質量と電磁気の質量の統一」と名付ける。
5．粒子の質量と粒子のエネルギーの関係式はどのようであるか。
6．粒子の質量＝9.628×10-41Jm÷軌道の式と、電磁気の質量＝1.370×10-58Jm÷軌道の式と、m＝E÷c2の式と、電磁気の質量＝1.111×10-17×電磁気のエネルギーの式と、粒子の質量＝1.111×10-17×粒子のエネルギーの式は成立する。これを「粒子の質量と電磁気の質量の統一」と名付ける。
7．電磁気の質量＝1.111×10-17×電磁気のエネルギー、です。粒子の質量＝1.111×10-17×粒子のエネルギー、です。電磁気のエネルギー÷電磁気の質量＝9.001×1016J/Kg、です。粒子のエネルギー÷粒子の質量＝9.001×1016J/Kg、です。この事によって、理解できる事は何か。
8．クオークの場合はどうであるか。
9．クオークの場合は電磁気の束であるのに、電磁気としても粒子としても質量が計算できる。それで、粒子のミューニュートリノと粒子のタウニュートリノと粒子の電子のニュートリノについて計算する。
10．クオークの場合は電磁気の束であるのに、電磁気としても粒子としても質量が計算できる。それで、ミューオンの電磁気、タウ粒子の電磁気、電子のラブの電磁気について計算する。
11．ミューオンは粒子であり電磁気でもある。タウ粒子は粒子であり電磁気でもある。電子のラブは粒子であり電磁気でもある。ミューニュートリノは電磁気の束であり粒子である。タウニュートリノは電磁気の束であり粒子である。電子ニュートリノは電磁気の束であり粒子である。クオークは電磁気の束であり粒子である。この事は何を示しているか。
12．陽子のラブの場合はどのようであるか。
13．素粒子の崩壊と素粒子のできた場のAと素粒子の束の電磁気数について。
【課題を解決するための手段】
【０００５】
1．ミューニュートリノとタウニュートリノと電子ニュートリノの質量を、m＝E÷ｃ２の式と、m=1.370×10-58Jm÷軌道の式により計算する。
2．計算する。
3．電磁気の軌道エネルギー＝1.233×10-41Jm
電磁気の軌道＝1.233×10-41Jm÷エネルギー
電磁気の質量＝1.370×10-58Jm÷軌道＝1.370×10-58Jm÷(1.233×10-41Jm÷エネルギー)＝1.111×10-17×エネルギー
よって、電磁気の質量＝1.111×10-17×電磁気のエネルギー、です。
4．電磁気には質量が無いはずなのに、電磁気を質量として計算できる。
このことは、質量エネルギーとは、質量としても表現でき、エネルギーとしても表現できる、事をしめす。
5．電磁気1個は1個の粒子でもあるので、電磁気1個を粒子1個と理解する。電磁気1個のエネルギー＝電磁気1個の粒子のエネルギー
粒子の軌道エネルギー＝8.665×10-24Jm
粒子の軌道＝8.665×10-24Jm÷粒子のエネルギー
粒子の質量＝9.628×10-41Jm÷粒子の軌道＝9.628×10-41Jm÷(8.665×10-24Jm÷エネルギー)＝1.111×10-17×エネルギー
よって、粒子の質量＝1.111×10-17×粒子のエネルギー、です。
6．ミューオンとタウ粒子と電子のラブの場合、粒子の質量＝9.628×10-41Jm÷軌道の式と、m＝E÷c2の式と、粒子の質量＝1.111×10-17×粒子のエネルギーの式は成立する。
7．意味する事は、１Kgの質量には9.001×1016Jのエネルギーが存在するという事です。
8．陽子の中のクオークは1束の電磁気数は6.249×108個です。それで、クオークも質量を持っているのではないだろうか。
9．電磁気を粒子として計算する。
10．粒子を電磁気として計算する。
11．すべての物は電磁気である事を示している。
12．陽子のラブを粒子として計算する。陽子のラブの粒子を電磁気として計算する。
13．高エネルギーの場でできた素粒子ほど引力の大きい場でできたので、拘束力が大きい。それで、崩壊しない。
【発明の効果】
【０００６】
1．m＝E÷ｃ２と、電磁気の質量＝1.370×10-58Jm÷軌道、の式により計算したミューニュートリノとタウニュートリノと電子ニュートリノの質量を表に示す。
2．m＝E÷ｃ２と、ラブの質量=9.628×10-41Jm÷軌道、の式より計算するミューオンとタウ粒子と電子のラブの質量を表に示す。
3．電磁気の質量と電磁気のエネルギーの関係式を表に示す。
電磁気の質量と電磁気のエネルギーの関係式を表に示す。
4．電磁気体の電磁気数と電磁気1個の質量を表に示す。
5．粒子の質量と粒子のエネルギーの関係式を表に示す。
粒子の質量と粒子のエネルギーの関係を表に示す。
6．電磁気1個の粒子のエネルギーと電磁気1個の粒子の質量と粒子は何個の電磁気の粒子でできるかを表に示す。
7．電磁気のエネルギー÷電磁気の質量＝粒子のエネルギー÷粒子の質量＝9.001×1016J/Kgを表に示す。
8．3.1MeVのクオークの電磁気としての性質と粒子としての性質を表に示す。
9．粒子のミューニュートリノと粒子のタウニュートリノと粒子の電子ニュートリノの粒子としての性質を表に示す。
10．ミューオンの電磁気とタウ粒子の電磁気と、電子のラブの電磁気について電磁気としての性質を表に示す。
11．１Kgの質量には9.001×1016Jのエネルギーが存在するという事です。
12．陽子のラブは粒子でもあり電磁気でもある事を表に示す。
13．素粒子の崩壊とできた場のAと束の電磁気数について表に示す。
【図面の簡単な説明】
【０００７】
【図１】図１はミューオンは粒子であり、電磁気である。この事によってすべての物は電磁気である事が理解できる。ミューオンを粒子として計算します。電磁気は粒子ですから、電磁気1個は電磁気1個の粒子とします。ミューオンは粒子でありエネルギーは105.658MeV＝1.693×10-11Jです。質量はm＝E÷ｃ２＝1.693×10-11J÷(9×1016)＝1.881×10-28Kgです。軌道は、8.665×10-24Jm÷(1.693×10-11J)＝5.118×10-13m、です。粒子の質量=9.628×10-41Jm÷軌道＝9.628×10-41Jm÷(5.118×10-13m)＝1.881×10-28Kg。粒子の質量＝1.111×10-17×粒子のエネルギー＝1.111×10-17×1.693×10-11J＝1.881×10-28Kg。電磁気1個の粒子のエネルギーは、1.233×10-41Jm÷(5.118×10-13m)＝2.409×10-29Jです。ミューオンの中の電磁気の粒子の数は、ミューオンのエネルギー÷電磁気1個の粒子のエネルギー＝1.693×10-11J÷(2.409×10-29J)＝7.028×1017個です。電磁気1個の粒子の質量は、ミューオンの質量÷ミューオンの電磁気の粒子数＝1.881×10-28Kg÷(7.028×1017個)＝2.676×10-46Kg、です。電磁気1個の粒子のエネルギーは2.409×10-29Jで、電磁気1個の粒子の質量は2.676×10-46Kgですから、電磁気1個の粒子のエネルギー÷電磁気1個の粒子の質量＝2.409×10-29J÷(2.676×10-46Kg)＝9.002×1016J/Kg、です。ミューオンを電磁気として計算します。  ミューオンの電磁気のエネルギーは105.658MeV＝1.693×10-11Jです。電磁気の軌道は、1.233×10-41Jm÷(1.693  ×10-11J)＝7.283×10-31m、です。電磁気の質量＝1.370×10-58Jm÷軌道＝1.370×10-58Jm÷(7.283×10-31m)＝1.881×10-28Kg。電磁気の質量＝1.111×10-17×電磁気のエネルギー＝1.111×10-17×1.693×10-11J＝1.881×10-28Kg。電磁気の個数は、ミューオンの電磁気のエネルギー÷電磁気1個のエネルギー＝1.693×10-11J÷(2.409×10-29J)＝7.028×1017個、です。電磁気1個の質量＝ミューオンの質量÷電磁気の数＝1.881×10-28Kg÷(7.028×1017個)＝2.676×10-46Kg。電磁気1個のエネルギーは2.409×10-29Jで、電磁気1個の質量は2.676×10-46Kgですから、電磁気1個のエネルギー÷電磁気1個の質量＝2.409×10-29J÷(2.676×10-46Kg)＝9.002×1016J/Kg、です。ミューオンは7.028×1017個の電磁気で構成される電磁気体である。ミューオンは電子のラブが太陽の中のA=2.067×102の場でできた。ミューオンのエネルギーは電子のラブのエネルギー×2.067×102です。
【発明を実施するための形態】
【０００８】
１．  地表に於いて、電子のラブは1束の電磁気数が7.028×1017個でできている。そしてミューニュートリノの電磁気数は1.264×1015個である。タウニュートリノの電磁気数は7.202×1015個である。それなら、ミューニュートリノとタウニュートリノも質量を持っているのではないだろうか。
○電磁気数が多い束の粒子は質量を持っているなら、電磁気にも質量が有る事に成る。
1．2015年11月5日に提出した、特願2015-216356の「請求項15」に於いて、次のように記した。
地表に於いて、電子のラブは1束の電磁気数が7.028×1017個でできる。
マイナスの宇宙の1個の電磁気のエネルギーは地表の3×108倍ですから、電磁気数は、7.028×1017個÷(3×108倍)＝2.343×109個でできる事に成る。
この場の電磁気のエネルギーは、3.769×10−21J×2.343×109＝8.831×10−12J、です。
この場のAは、8.831×10−12J÷(3.769×10−21J)＝2.343×109、です。
電子のラブができる場のAは2.343×109です。
2．2016年2月2日に提出した、特願2016-018441の「請求項２」で、ミューニュートリノの電磁気数は1.264×1015個であると理解した。
「請求項４」で、タウニュートリノの電磁気数は7.202×1015個であると理解した。
2016年2月2日に提出した特願2016-018441の「請求項7」で、電子ニュートリノは中性子が崩壊してできるとき、中性子のエネルギー＝陽子のエネルギー、と考えると、電子ニュートリノは、陽子のラブが2.746×1012回公転してできるので、2.746×1012個の電磁気数であると理解した。
1と2から、地表に於いて、電子のラブは1束の電磁気数が7.028×1017個でできている。そしてミューニュートリノの電磁気数は1.264×1015個である。タウニュートリノの電磁気数は7.202×1015個である。それなら、ミューニュートリノとタウニュートリノも質量を持っているのではないだろうか。
○ミューニュートリノとタウニュートリノと電子ニュートリノの質量を、m＝E÷ｃ２の式と、m=1.370×10-58Jm÷軌道の式により計算する。
・ミューニュートリノの質量はいくらか。
m＝E÷ｃ２＝3.044×10-14J÷(9×1016)＝3.382×10-31Kg
ミューニュートリノの電磁気の軌道＝1.233×10-41Jm÷(3.044×10-14J)＝4.051×10-28m
電磁気の質量=1.370×10-58Jm÷ミューニュートリノの軌道＝1.370×10-58Jm÷(4.051×10-28m)＝3.382×10-31Kg
但し、電磁気の質量＝1.370×10-58Jm÷軌道、の式は2016年1月8日に提出した、特願2016-003081の「請求項12」に記した。
・タウニュートリノの質量はいくらか。
m＝E÷ｃ２＝2.916×10-12J÷(9×1016)＝3.240×10-29Kg
タウニュートリノの電磁気の軌道＝1.233×10-41Jm÷(2.916×10-12J)＝4.228×10-30m
電磁気の質量=1.370×10-58Jm÷タウニュートリノの軌道＝1.370×10-58Jm÷(4.228×10-30m)＝3.240×10-29Kg
・電子ニュートリノの質量はいくらか。
m＝E÷ｃ２＝3.204×10-19J÷(9×1016)＝3.560×10-36Kg
電子ニュートリノの電磁気の軌道＝1.233×10-41Jm÷(3.204×10-19J)＝3.848×10-23m
電磁気の質量=1.370×10-58Jm÷電子ニュートリノの軌道＝1.370×10-58Jm÷(3.848×10-23m)＝3.560×10-36Kg
この事を表に示す。
m＝E÷ｃ２と、電磁気の質量＝1.370×10-58Jm÷軌道、の式により計算したミューニュートリノとタウニュートリノと電子ニュートリノの質量
表１
2017147799.tif 000003
この事により理解できた事。
1．2016年1月8日に提出した、特願2016-003081の「請求項12」に記した、電磁気の質量＝1.370×10-58Jm÷軌道、の式は正しかった。
2．電磁気の軌道により、電磁気の質量は求められる。
3．電磁気の質量を軌道から求める事ができる。
4．電磁気の質量は軌道に現れる。
5．質量の大きい電磁気ほど軌道は小さい。
２．    ミューオンとタウ粒子と電子のラブの質量はいくらか。m＝E÷ｃ２と、粒子の質量=9.628×10-41Jm÷軌道、の式により計算する。
2016年1月8日に提出した、特願2016-003081の「請求項11」に、粒子の質量=9.628×10-41Jm÷軌道、と記した。
・ミューオンの質量はいくらか。
m＝E÷ｃ２＝1.693×10-11J÷(9×1016)＝1.881×10-28Kg
ミューオンの公転軌道＝8.665×10-24Jm÷(1.693×10-11J)＝5.118×10-13m
粒子の質量=9.628×10-41Jm÷軌道＝9.628×10-41Jm÷(5.118×10-13m)＝1.881×10-28Kg
・タウ粒子の質量はいくらか。
m＝E÷ｃ２＝2.846×10-10J÷(9×1016)＝3.162×10-27Kg
タウ粒子の公転軌道＝8.665×10-24Jm÷(2.846×10-10J)＝3.045×10-14m
粒子の質量=9.628×10-41Jm÷軌道＝9.628×10-41Jm÷(3.045×10-14m)＝3.162×10-27Kg
・電子のラブの質量はいくらか。(これは特願2016-003081の「請求項11」に記した)
m＝E÷ｃ２＝8.187×10-14J÷(9×1016)＝9.097×10-31Kg
電子のラブの公転軌道＝8.665×10-24Jm÷(8.187×10-14J)＝1.058×10-10m
粒子の質量=9.628×10-41Jm÷軌道＝9.628×10-41Jm÷(1.058×10-10m)＝9.100×10-31Kg
この事を表に示す。
m＝E÷ｃ２と、ラブの質量=9.628×10-41Jm÷軌道、の式より計算するミューオンとタウ粒子と電子のラブの質量
表２
2017147799.tif 000004
この事により理解できた事。
1．2016年1月8日に提出した、特願2016-003081の「請求項11」に記した、ラブの質量=9.628×10-41Jm÷軌道、の式は正しかった。
2．粒子の質量を求める式は、E=mｃ2だけではない。粒子の質量を求める式は、粒子の質量＝9.628×10-41Jm÷軌道、でもある。
3．粒子の質量を軌道から求める事ができる。
4．粒子の質量は軌道に現れる。
5．質量の大きい粒子の軌道ほど軌道は小さい。
３．    電磁気の質量と電磁気のエネルギーの関係式はどのようであるか。
電磁気の軌道エネルギー＝1.233×10-41Jm
電磁気の軌道＝1.233×10-41Jm÷エネルギー
電磁気の質量＝1.370×10-58Jm÷軌道＝1.370×10-58Jm÷(1.233×10-41Jm÷エネルギー)＝1.111×10-17×エネルギー
よって、電磁気の質量＝1.111×10-17×電磁気のエネルギー、です。
電磁気の質量と電磁気のエネルギーの関係式は、電磁気の質量＝1.111×10-17×電磁気のエネルギー、です。
電磁気のエネルギー＝電磁気の質量÷(1.111×10-17)＝電磁気の質量×9.001×1016
電磁気の質量と電磁気のエネルギーの関係式は、電磁気のエネルギー＝9.001×1016×電磁気の質量、です。
電磁気の質量と電磁気のエネルギーの関係式は、電磁気のエネルギー÷電磁気の質量＝9.001×1016、です。
ミューニュートリノの場合。
電磁気の質量＝1.111×10-17×電磁気のエネルギー＝1.111×10-17×3.044×10-14J＝3.382×10-31Kg
電磁気1個の質量＝1.111×10-17×電磁気1個のエネルギー＝1.111×10-17×2.409×10-29J＝2.676×10-46Kg
ミューニュートリノの電磁気のエネルギーは3.044×10-14Jで、電磁気の質量は3.382×10-31Kgです。
ミューニュートリノの電磁気1個のエネルギーは2.409×10-29Jで、電磁気1個の質量は2.676×10-46Kgです。
電磁気のエネルギー÷電磁気の質量＝3.044×10-14J÷(3.382×10-31Kg)＝9.001×1016
電磁気1個のエネルギー÷電磁気1個の質量＝2.409×10-29J÷(2.676×10-46Kg)＝9.002×1016
タウニュートリノの場合。
電磁気の質量＝1.111×10-17×電磁気のエネルギー＝1.111×10-17×2.846×10-10J＝3.162×10-27Kg
電磁気1個の質量＝1.111×10-17×電磁気1個のエネルギー＝1.111×10-17×4.049×10-28＝4.499×10-45Kg
タウニュートリノの電磁気のエネルギーは2.846×10-10Jで、電磁気の質量は4.499×10-45Kgです。
タウニュートリノの電磁気1個のエネルギーは4.049×10-28Jで、電磁気の質量は3.162×10-27Kg です。
電磁気のエネルギー÷電磁気の質量＝2.846×10-10J÷(3.162×10-27Kg)＝9.001×1016
電磁気1個のエネルギー÷電磁気1個の質量＝4.049×10-28J÷(4.499×10-45Kg)＝9.000×1016
電子ニュートリノの場合。
電磁気の質量＝1.111×10-17×電磁気のエネルギー＝1.111×10-17×3.204×10-19J＝3.560×10-36Kg
電磁気1個の質量＝1.111×10-17×電磁気1個のエネルギー＝1.111×10-17×1.167×10-31J＝1.297×10-48Kg
電子ニュートリノのエネルギーは8.187×10-14Jで、電磁気の質量は9.096×10-31Kg です。
電子ニュートリノの電磁気1個のエネルギーは1.167×10-31Jで、電磁気1個の質量は1.297×10-48Kgです。
電磁気のエネルギー÷電磁気の質量＝3.204×10-19J÷(3.560×10-36Kg)＝9.000×1016
電磁気1個のエネルギー÷電磁気1個の質量＝1.167×10-31J÷(1.297×10-48Kg)＝8.998×1016
この事をまとめて表に示す。
電磁気の質量と電磁気のエネルギーの関係式
表３
2017147799.tif 000005
この式により理解できる事。
1．電磁気の質量＝1.111×10-17×電磁気のエネルギーの式により電磁気のエネルギーによりその質量が計算できる。
2．この式により、電磁気の個数がいくらでも計算できる。
3．電磁気のエネルギーの中にその質量が存在する。
4．電磁気のエネルギー１Jの中に、1.111×10−17Kgの質量が存在する。
5．電磁気のエネルギーが大きい程質量は大きい。
この事をまとめて表に示す。
電磁気の質量と電磁気のエネルギーの関係式
表４
2017147799.tif 000006
４．    粒子の質量＝9.628×10-41Jm÷軌道の式と、電磁気の質量＝1.370×10-58Jm÷軌道の式と、m＝E÷c2の式と、電磁気の質量＝1.111×10-17×電磁気のエネルギーの式と、電磁気のエネルギー＝9.001×1016×電磁気の質量の式は成立する。これを「素粒子の質量と電磁気の質量の統一」と名付ける。
○電磁気には質量が無いはずなのに、電磁気を質量として計算できる。
このことは、質量エネルギーとは、質量としても表現でき、エネルギーとしても表現できる、事をしめす。
質量はエネルギーに還元でき、エネルギーは質量に還元できる。たとえそれが電磁気であっても電磁気のエネルギーは質量に換算できる。
換算はできるけれども、変換はできない。エネルギーを質量に変換はできない。
この事は何を意味するか。
1．「電磁気と質量の統一」を意味する。
2．電磁気には質量が無いように見えるが、真実には電気には質量が存在する。
・電磁気体は何個の電磁気でできているか。
ミユーニュートリノのエネルギー÷電磁気1個のエネルギー＝3.044×10-14J÷(2.409×10-29J)＝1.264×1015個
タウニュートリノのエネルギー÷電磁気1個のエネルギー＝2.916×10−12J÷(4.049×10-28J)＝7.202×1015個
電子ニュートリノのエネルギー÷電磁気1個のエネルギー＝3.204×10-19J÷(1.167×10-31J)＝2.746×1012個
・電磁気の個数と電磁気1個の質量
ミユーニュートリノは電気数が1.264×1015個1束に成っていて質量は3.382×10-31Kgです。
電磁気1個の質量＝3.382×10-31Kg÷(1.264×1015個)＝2.676×10-46Kg
タウニュートリノは電気数が7.202×1015個1束に成っていて質量は3.162×10-27Kgです。
電磁気1個の質量＝3.162×10-27Kg÷(7.202×1015個)＝4.499×10-45Kg
電子ニュートリノは電気数が2.746×1012個1束に成っていて質量は1.296×10-48Kgです。
この事を表に示す。
電磁気体の電磁気数と電磁気1個の質量
表５
2017147799.tif 000007
５．    粒子の質量と粒子のエネルギーの関係式はどのようであるか。
電磁気1個は1個の粒子でもあるので、電磁気1個を粒子1個と理解する。電磁気1個のエネルギー＝電磁気1個の粒子のエネルギー
粒子の軌道エネルギー＝8.665×10-24Jm
粒子の軌道＝8.665×10-24Jm÷粒子のエネルギー
粒子の質量＝9.628×10-41Jm÷粒子の軌道＝9.628×10-41Jm÷(8.665×10-24Jm÷エネルギー)＝1.111×10-17×エネルギー
よって、粒子の質量＝1.111×10-17×粒子のエネルギー、です。
粒子の質量と粒子のエネルギーの関係式は、粒子の質量＝1.111×10-17×粒子のエネルギーです。
粒子のエネルギー＝粒子の質量÷(1.111×10-17)＝粒子の質量×9.001×1016
粒子の質量と粒子のエネルギーの関係式は、粒子のエネルギー＝粒子の質量×9.001×1016J/Kgです。
粒子の質量と粒子のエネルギーの関係式は、粒子のエネルギー÷粒子の質量＝9.001×1016 J/Kgです。
この式は、電磁気の質量と電磁気のエネルギーの関係式と同じです。
ミューオンの場合。
ミューオンの質量＝1.111×10-17×ミューオンのエネルギー＝1.111×10-17×2.846×10-10J ＝3.162×10-27Kg
ミューオンの電磁気1個の粒子の質量=1.111×10-17×電磁気1個の粒子のエネルギー＝1.111×10-17×2.409×10-29J＝2.676×10-46Kg
ミューオンの粒子のエネルギーは2.846×10-10Jで、ミューオンの質量は3.162×10-27Kgです。
ミューオンの電磁気1個の粒子のエネルギーは2.409×10-29Jで、ミューオンの電磁気1個の粒子の質量は2.676×10-46Kgです。
ミューオンのエネルギー÷ミューオンの質量＝2.846×10-10J÷(3.162×10-27Kg)＝9.001×1016J/Kg
ミューオンの電磁気1個の粒子のエネルギー÷ミューオンの電磁気1個の粒子の質量＝2.409×10-29J÷(2.676×10-46Kg)＝9.002×1016 J/Kg
タウ粒子の場合。
タウ粒子の質量＝1.111×10-17×タウ粒子のエネルギー＝1.111×10-17×1.693×10-11J＝1.881×10-28Kg
タウ粒子の電磁気1個の粒子の質量=1.111×10-17×電磁気1個の粒子のエネルギー＝1.111×10-17×4.049×10-28J＝4.498×10-45Kg
タウ粒子のエネルギーは1.693×10-11Jで、タウ粒子の質量は1.881×10-28Kgです。
タウ粒子の電磁気1個の粒子のエネルギーは4.049×10-28Jで、タウ粒子の電磁気1個の粒子の質量は4.498×10-45Kgです。
タウ粒子のエネルギー÷タウ粒子質量＝1.693×10-11J÷(1.881×10-28Kg)＝9.001×1016 J/Kg
タウ粒子の電磁気1個の粒子のエネルギー÷タウ粒子の電磁気1個の粒子の質量＝4.049×10-28J÷(4.498×10-45Kg)＝9.002×1016 J/Kg
電子のラブの場合。
電子のラブの質量＝1.111×10-17×電子のラブのエネルギー＝1.111×10-17×8.187×10-14J＝9.096×10-31Kg
電子のラブの電磁気1個の粒子の質量=1.111×10-17×電子のラブ電磁気1個の粒子のエネルギー＝1.111×10-17×1.165×10-31J＝1.294×10-48Kg
電子のラブのエネルギーは8.187×10-14Jで、電子のラブの質量は9.096×10-31Kgです。
電子のラブの電磁気1個の粒子のエネルギーは1.165×10-31Jで、電子のラブの電磁気1個の粒子の質量は1.294×10-48Kgです。
電子のラブのエネルギー÷電子のラブの質量＝8.187×10-14J÷(9.096×10-31Kg)＝9.001×1016 J/Kg
電子のラブの電磁気1個の粒子のエネルギー÷電子のラブの電磁気1個の粒子の質量＝1.165×10-31J÷(1.294×10-48Kg)＝9.003×1016 J/Kg
この事をまとめて表に示す。
粒子の質量と粒子のエネルギーの関係式
表６
2017147799.tif 000008
この事により理解できる事。
1．粒子のエネルギーにより、その粒子の質量が計算できる。
2．粒子の質量により、その粒子のエネルギーが計算できる。
この事をまとめて表に記す。
粒子の質量と粒子のエネルギーの関係
表７
2017147799.tif 000009
６．    粒子の質量＝9.628×10-41Jm÷軌道の式と、電磁気の質量＝1.370×10-58Jm÷軌道の式と、m＝E÷c2の式と、電磁気の質量＝1.111×10-17×電磁気のエネルギーの式と、粒子の質量＝1.111×10-17×粒子のエネルギーの式は成立する。これを「粒子の質量と電磁気の質量の統一」と名付ける。
ミューオンとタウ粒子と電子のラブの場合、粒子の質量＝9.628×10-41Jm÷軌道の式と、m＝E÷c2の式と、粒子の質量＝1.111×10-17×粒子のエネルギーの式は成立する。
・粒子は何個の電磁気の粒子でできているか。
ミューオンのエネルギー÷電磁気1個の粒子のエネルギー＝1.693×10-11J÷(2.409×10-29J)＝7.028×1017個
タウ粒子のエネルギー÷電磁気1個の粒子のエネルギー＝2.846×10-10J÷(4.049×10-28J)＝7.029×1017個
電子のラブのエネルギー÷電磁気1個の粒子のエネルギー＝8.187×10-14J÷(1.165×10-31J)＝7.027×1017個
・粒子の電磁気の粒子の個数と電磁気1個の粒子の質量
ミューオンは電磁気が7.028×1017個1束に成っていて、質量は1.881×10-28Kgです。
電磁気1個の粒子の質量＝1.881×10-28Kg÷(7.028×1017個)＝2.676×10-46Kg
タウ粒子は電磁気が7.029×1017個1束に成っていて、質量は3.162×10-27Kgです。
電磁気1個の粒子の質量＝3.162×10-27Kg÷(7.029×1017個)＝4.499×10-45Kg
電子のラブは電磁気が7.027×1017個1束に成っていて、質量は9.097×10-31Kgです。
電磁気1個の粒子の質量＝9.097×10-31Kg÷(7.028×1017個)＝1.294×10-48Kg
・粒子の電磁気のエネルギーと質量
ミューオンの電磁気1個の粒子のエネルギーは2.409×10-29Jで、電磁気1個の粒子の質量は2.676×10-46Kg です。
ミューオンの電磁気1個の粒子のエネルギー÷電磁気1個の粒子の質量＝2.409×10-29J÷(2.676×10-46Kg)＝9.002×1016J/Kg  
タウ粒子の電磁気1個の粒子のエネルギーは4.049×10-28Jで、電磁気1個の質量は4.498×10-45Kgです。
タウ粒子の電磁気1個の粒子のエネルギー÷電磁気1個の粒子の質量＝4.049×10-28J÷(4.498×10-45Kg)＝9.002×1016 J/Kg
電子のラブの電磁気1個の粒子のエネルギーは1.165×10-31Jで、電磁気1個の粒子の質量は1.294×10-48Kgです。
電子のラブの電磁気1個の粒子のエネルギー÷電磁気1個の粒子の質量＝1.165×10-31J÷(1.294×10-48Kg)＝9.003×1016 J/Kg
この事を表に示す。
電磁気1個の粒子のエネルギーと電磁気1個の粒子の質量と粒子は何個の電磁気の粒子でできるか。
表８
2017147799.tif 000010
７．    電磁気の質量＝1.111×10-17×電磁気のエネルギー、です。粒子の質量＝1.111×10-17×粒子のエネルギー、です。電磁気のエネルギー÷電磁気の質量＝9.001×1016J/Kg、です。粒子のエネルギー÷粒子の質量＝9.001×1016J/Kg、です。この事によって、理解できる事は何か。
電磁気のエネルギー÷電磁気の質量＝9.001×1016J/Kg、です。
粒子のエネルギー÷粒子の質量＝9.001×1016J/Kg、です。
この意味する事は、１Kgの質量には9.001×1016Jのエネルギーが存在するという事です。
即ち、E=mc2、です。質量１Kgには9.001×1016Jのエネルギーが存在するという事です。
電磁気のエネルギー÷電磁気の質量＝粒子のエネルギー÷粒子の質量＝9.001×1016J/Kg、です。
電磁気は粒子です。それで、粒子は電磁気の粒子です。粒子は電磁気の粒子の集合体です。
この事を表に示す。
電磁気のエネルギー÷電磁気の質量＝粒子のエネルギー÷粒子の質量＝9.001×1016J/Kg
表９
2017147799.tif 000011
８．    クオークの場合はどうであるか。
陽子の中のクオークは1束の電磁気数は6.249×108個です。それで、クオークも質量を持っているのではないだろうか。
3.1MeVのクオークの場合。
・3.1MeVのクオークの電磁気としての質量
m=E÷c2＝4.966×10-13J÷(9×1018)＝5.518×10-30Kg
電磁気の質量＝1.370×10-58Jm÷軌道
軌道＝1.233×10-41Jm÷(4.966×10-13J)＝2.483×10-29m
電磁気の質量＝1.370×10-58Jm÷軌道＝1.370×10-58Jm÷(2.483×10-29m)＝5.518×10-30Kg
電磁気の質量＝1.111×10-17×電磁気のエネルギー＝1.111×10-17×4.966×10-13J＝5.517×10-30Kg
・3.1MeVのクオーク粒子としての質量
m=E÷c2＝4.966×10-13J÷(9×1018)＝5.518×10-30Kg
軌道＝8.665×10-24Jm÷(4.966×10-13J)＝1.745×10-11m
粒子の質量＝9.628×10-41Jm÷軌道＝9.628×10-41Jm÷(1.745×10-11m)＝5.517×10-30Kg
粒子の質量＝1.111×10-17×粒子のエネルギー＝1.111×10-17×4.966×10-13J＝5.517×10-30Kg
・電磁気の個数と電磁気1個の質量
3.1MeVのクオークは電磁気数が6.249×108個1束に成っていて、質量は5.517×10-30Kgです。
電磁気1個の質量＝5.517×10-30Kg÷(6.249×108個)＝8.829×10-39Kg
・電磁気の質量と電磁気のエネルギーの関係
3.1MeVのクオークの電磁気のエネルギーは4.966×10-13Jで電子気の質量は5.518×10-30Kgです。
電磁気のエネルギー÷電子気の質量＝4.966×10-13J÷(5.518×10-30Kg)＝9.000×1016 J/Kg
3.1MeVのクオークの電磁気1個のエネルギーは7.948×10-22Jで、電磁気1個の質量は8.829×10-39Kgです。
電磁気1個のエネルギー÷電磁気1個の質量＝7.948×10-22J÷(8.829×10-39Kg)＝9.002×1016 J/Kg
・粒子は何個の電磁気でできているか。
3.1MeVのクオークのエネルギー÷1個の電磁気のエネルギー＝4.966×10-13J÷(7.948×10-22J)＝6.248×108個
・粒子の電磁気の個数と電磁気1個の粒子の質量
3.1MeVのクオークは電磁気数が6.248×108個1束に成っていて、粒子の質量は5.518×10-30Kgです。
電磁気1個の粒子の質量＝5.518×10-30Kg÷(6.248×108個)＝8.832×10-39Kg
・粒子の質量と粒子のエネルギーの関係
3.1MeVのクオークの粒子のエネルギーは4.966×10-13Jで粒子の質量は5.517×10-30Kgです。
粒子のエネルギー÷粒子の質量＝4.966×10-13J÷(5.517×10-30Kg)＝9.001×1016 J/Kg
3.1MeVのクオークの電磁気1個の粒子のエネルギーは7.948×10-22Jで、電磁気1個の粒子の質量は8.832×10-39Kg です。
電磁気1個の粒子のエネルギー÷電磁気1個の粒子の質量＝7.948×10-22J÷(8.832×10-39Kg)＝8.999×1016 J/Kg
この事をまとめて表に示す。
3.1MeVのクオークの電磁気としての性質と粒子としての性質
表１０
2017147799.tif 000012
この事により理解できる事。
1．クオークは粒子としても計算でき電磁気としても計算できる。
2．クオークは粒子でもあり、電磁気でもある。
９．    クオークの場合は電磁気の束であるのに、電磁気としても粒子としても質量が計算できる。それで、粒子のミューニュートリノと粒子のタウニュートリノと粒子の電子のニュートリノについて計算する。
○電磁気を粒子として計算する。
・ミューニュートリノの場合。
・ミューニュートリノのエネルギーは0.19MeV＝3.044×10-14Jです。
これを粒子と見做す。
軌道は、8.665×10-24Jm÷(3.044×10-14J)＝2.847×10-10m、です。
粒子の質量＝9.628×10-41Jm÷(2.847×10-10m)＝3.382×10-31Kg。
粒子の質量＝1.111×10-17×粒子のエネルギー＝1.111×10-17×3.044×10-14J＝3.382×10-31Kg。
・粒子は何個の電磁気の粒子でできているか。
ミューニュートリノのエネルギー÷電磁気1個の粒子のエネルギー＝3.044×10-14J÷(2.409×10-29J)＝1.264×1015個
・電磁気の１個数の粒子の質量。
電磁気の１個数の粒子の質量＝粒子の質量÷電磁気の粒子の個数＝3.382×10-31Kg÷(1.264×1015個)＝2.676×10-46Kg
・電磁気1個の粒子のエネルギーは2.409×10-29Jで、電磁気1個の粒子の質量は2.676×10-46Kgです。
・電磁気1個の粒子のエネルギー÷電磁気1個の粒子の質量＝2.409×10-29J÷2.676×10-46Kg＝9.002×1016 J/Kg
・タウニュートリノの場合。
・タウニュートリノのエネルギーは18.2MeV＝2.916×10-12Jです。
これを粒子と見做す。
軌道は、8.665×10-24Jm÷(2.916×10-12J)＝2.972×10-12m、です。
粒子の質量＝9.628×10-41Jm÷(2.972×10-12m)＝3.240×10-29Kg。
粒子の質量＝1.111×10-17×粒子のエネルギー＝1.111×10-17×2.916×10-12J＝3.240×10-29Kg。
・粒子は何個の電磁気の粒子でできているか。
タウニュートリノのエネルギー÷電磁気1個の粒子のエネルギー＝2.916×10-12J÷(4.049×10-28J)＝7.202×1015個
・電磁気の１個の粒子の質量。
電磁気の１個数の質量＝粒子の質量÷電磁気の粒子の個数＝3.240×10-29Kg÷(7.202×1015個)＝4.499×10-45Kg
・電磁気1個の粒子のエネルギーは4.049×10-28Jで、電磁気1個の粒子の質量は4.499×10-45Kgです。
・電磁気1個の粒子のエネルギー÷電磁気1個の粒子の質量＝4.049×10-28J÷(4.499×10-45Kg)＝9.000×1016 J/Kg
電子ニュートリノの場合。
電子ニュートリノのエネルギーは2eV＝3.204×10-19J です。
これを粒子と見做す。
軌道は、8.665×10-24Jm÷(3.204×10-19J)＝2.704×10-5m、です。
粒子の質量＝9.628×10-41Jm÷(2.704×10-5m)＝3.561×10-36Kg。
粒子の質量＝1.111×10-17×粒子のエネルギー＝1.111×10-17×3.204×10-19J＝3.560×10-36Kg。
・粒子は何個の電磁気の粒子でできているか。
電子ニュートリノのエネルギー÷電磁気1個の粒子のエネルギー＝3.204×10-19J÷(1.165×10-31J)＝2.750×1012個
・電磁気の１個の粒子の質量。
電磁気の１個の粒子の質量＝粒子の質量÷電磁気の粒子の個数＝3.561×10-36Kg÷(2.750×1012個)＝1.295×10-48Kg
・電磁気1個の粒子のエネルギーは1.165×10-31Jで、電磁気1個の粒子の質量は1.295×10-48Kgです。
・電磁気1個の粒子のエネルギー÷電磁気1個の粒子の質量＝1.165×10-31J÷(1.295×10-48Kg)＝8.996×1016 J/Kg
この事を表に示す。
粒子のミューニュートリノと粒子のタウニュートリノと粒子の電子ニュートリノの粒子としての性質。
表１１
2017147799.tif 000013
１０．    クオークの場合は電磁気の束であるのに、電磁気としても粒子としても質量が計算できる。それで、ミューオンの電磁気、タウ粒子の電磁気、電子のラブの電磁気について計算する。
○電磁気として計算する。
ミューオンの場合。
ミューオンのエネルギーは105.658MeV=1.693×10-11Jです。
これを電磁気と見做す。
この電磁気の軌道は、1.233×10−41Jm÷(1.693×10-11J)＝7.283×10-31m
電磁気の質量＝1.370×10-58Jm÷軌道＝1.370×10-58Jm÷(7.283×10-31m)＝1.881×10-28Kg。
電磁気の質量＝1.111×10-17×電磁気のエネルギー＝1.111×10-17×1.693×10-11J＝1.881×10-28Kg。
ミューオンの電磁気1個のエネルギーは2.409×10-29Jです。
・電磁気の個数と電磁気1個の質量
電磁気の個数＝ミューオンのエネルギー÷電気の光子1個のエネルギー＝1.693×10-11J÷(2.409×10-29J)＝7.028×1017個
電磁気1個の質量＝電磁気の質量÷電磁気の個数＝1.881×10-28Kg÷(7.028×1017個)＝2.676×10-46Kg。
・電磁気の質量と電磁気のエネルギーの関係
電磁気1個のエネルギー÷電磁気1個の質量＝2.409×10-29J÷(2.676×10-46Kg)＝9.002×1016 J/Kg
タウ粒子の場合
タウ粒子のエネルギーは1776.8MeV＝2.846×10-10Jです。
この電磁気の軌道は、1.233×10−41Jm÷(2.846×10-10J)＝4.332×10-32m、です。
電磁気の質量＝1.370×10-58Jm÷軌道＝1.370×10-58Jm÷(4.332×10-32m)＝3.163×10-27Kg.
電磁気の質量＝1.111×10-17×電磁気のエネルギー＝1.111×10-17×2.846×10-10J＝3.162×10-27Kg
タウ粒子の電磁気1個のエネルギーは4.049×10-29Jです。
・電磁気の個数と電磁気1個の質量
電磁気の個数＝タウ粒子のエネルギー÷電気の光子1個のエネルギー＝2.846×10-10J÷(4.049×10-28J)＝7.029×1017個
電磁気1個の質量＝電磁気の質量÷電磁気の個数＝3.162×10-27Kg÷(7.028×1017個)＝4.499×10-45Kg。
・電磁気の質量と電磁気のエネルギーの関係
電磁気1個のエネルギー÷電磁気1個の質量＝4.049×10-28J÷(4.499×10-45Kg)＝9.000×1016 J/Kg
電子のラブの場合。
電子のラブのエネルギーは8.187×10-14Jです。
この電磁気の軌道は、1.233×10−41Jm÷(8.187×10-14J)＝1.506×10-28m、です。
電磁気の質量＝1.370×10-58Jm÷軌道＝1.370×10-58Jm÷(1.506×10-28m)＝9.097×10-31Kg
電磁気の質量＝1.111×10-17×電磁気のエネルギー＝1.111×10-17×8.187×10-14J＝9.096×10-31Kg
電子のラブの電磁気1個のエネルギーは1.165×10-31Jです。
・電磁気の個数と電磁気1個の質量
電磁気の個数＝電子のラブのエネルギー÷電気の光子1個のエネルギー＝8.187×10-14J÷(1.165×10-31J)＝7.027×1017個
電磁気1個の質量＝電磁気の質量÷電磁気の個数＝9.096×10-31Kg÷(7.027×1017個)＝1.294×10-48Kg、です。
・電磁気の質量と電磁気のエネルギーの関係
電磁気1個のエネルギー÷電磁気1個の質量＝1.165×10-31J÷(1.294×10-48Kg)＝9.003×1016 J/Kg
まとめて表に示す。
ミューオンの電磁気とタウ粒子の電磁気と、電子のラブの電磁気
表１２
2017147799.tif 000014
１１．    ミューオンは粒子であり電磁気でもある。タウ粒子は粒子であり電磁気でもある。電子のラブは粒子であり電磁気でもある。ミューニュートリノは電磁気の束であり粒子である。タウニュートリノは電磁気の束であり粒子である。電子ニュートリノは電磁気の束であり粒子である。クオークは電磁気の束であり粒子である。この事は何を示しているか。
すべての物は電磁気である事を示している。
電磁気のエネルギー÷電磁気の質量＝9.001×1016J/Kg
粒子のエネルギー÷粒子の質量＝9.001×1016J/Kg
この意味する事は、１Kgの質量には9.001×1016Jのエネルギーが存在するという事です。
１２．    陽子のラブの場合はどのようであるか。
○粒子を粒子として計算する。
陽子のラブのエネルギーは938.272MeV＝938.272×1.602×10-19J×106＝1.503×10-10J、です。
軌道は、8.665×10-24Jm÷(1.503×10-10J )＝5.765×10-14m、です。
粒子の質量＝9.628×10-41Jm÷軌道＝9.628×10-41Jm÷(5.765×10-14m)＝1.670×10-27Kg。
粒子の質量＝1.111×10-17×粒子のエネルギー＝1.111×10-17×1.503×10-10J ＝1.670×10-27Kg。
陽子のラブの電磁気1個のエネルギーは陽子のラブが1公転で作る電気の光子のエネルギーですから、1.164×10-31Jです。
・粒子は何個の電磁気でできているか。
陽子のラブのエネルギー÷電磁気1個のエネルギー＝1.503×10-10J ÷(1.164×10-31J)＝1.291×1021個
・電磁気の１個の粒子の質量。
電磁気の１個の粒子の質量＝粒子の質量÷電磁気の個数＝1.670×10-27Kg÷(1.291×1021個)＝1.294×10-48Kg
・電磁気1個粒子のエネルギーは1.164×10-31Jで、質量は1.294×10-48Kgです。
○粒子を電磁気として計算する。
陽子のラブの場合。
陽子のラブのエネルギーは、938.272MeV＝938.272×1.602×10-19J×106＝1.503×10-10J、です。
この電磁気の軌道は、1.233×10−41Jm÷(1.503×10-10J)＝8.204×10-32m、です。
電磁気の質量＝1.370×10-58Jm÷軌道＝1.370×10-58Jm÷(8.204×10-32m)＝1.670×10-27Kg
電磁気の質量＝1.111×10-17×電磁気のエネルギー＝1.111×10-17×1.503×10-10J ＝1.670×10-27Kg
陽子のラブの電磁気1個のエネルギーは陽子のラブが1公転で作る電気の光子のエネルギーですから、1.164×10-31Jです。
・電磁気の個数と質量
電磁気の個数＝電子のラブのエネルギー÷電気の光子1個のエネルギー＝1.503×10-10J÷(1.164×10-31J)＝1.291×1021個
電磁気1個の質量＝電磁気の質量÷電磁気の個数＝1.670×10-27Kg÷(1.291×1021個)＝1.294×10-48Kg
・電磁気の質量と電磁気のエネルギーの関係
電磁気1個のエネルギー÷電磁気1個の質量＝1.164×10-31J÷(1.294×10-48Kg)＝8.995×1016
まとめて表に示す。
陽子のラブは粒子でもあり電磁気でもある
表１３
2017147799.tif 000015
１３．    素粒子の崩壊と素粒子のできた場のAと素粒子の束の電磁気数について。
電子のラブは崩壊しない。
ミューオンとタウ粒子は崩壊する。
電子ニュートリノとミューニュートリノとタウニュートリノは崩壊しない。しかし衝突したとき崩壊する。
クオークは崩壊する。
この原因は、素粒子ができた場のエネルギーによる。
高エネルギーの場でできた素粒子ほど引力の大きい場でできたので、拘束力が大きい。それで、崩壊しない。
拘束力は軌道に現れる。
その事を記す。
電子のラブの軌道は1.058×10-10mです。電子のラブはできた場のAはA=7×1017であるから崩壊しない。
タウ粒子の軌道は3.045×10-14mです。それで、崩壊する。
ミュー粒子の軌道は5.118×10-13mです。それで、崩壊する。
電子のラブができた場は、A=7×1017です。
電子ニュートリノができた場は、太陽の中央のA=3.873×103です。
タウ粒子ができた場は、太陽の中のA=3.475×103です。
ミューオンができた場は、太陽の中のA=2.067×102です。
それで、タウニュートリノはミューニュートリノより崩壊し難い。
太陽から放出した電子ニュートリノ、タウニュートリノ、ミューニュートリノの順に崩壊し難い。
しかし、衝突したとき崩壊する。
クオークは加速器で、地表の3×108倍のエネルギーを作ってできたものであり、この場のエネルギーが存在しない地表ではただちに崩壊する。
この事を表に示す。
素粒子の崩壊とできた場のAと束の電磁気数
表１４
2017147799.tif 000016
【産業上の利用可能性】
【０００９】
素粒子を理解することは原子や元素を理解する事であり、産業の発展に役立つ。
【符号の説明】
【００１０】
１    ミューオン    
２    ミューオンは粒子であり、電磁気である    
３    ミューオンは粒子でありエネルギーは105.658MeV＝1.693×10-11J    
４    質量はm＝E÷ｃ２＝1.693×10-11J÷(9×1016)＝1.881×10-28Kg    
５    軌道は、8.665×10-24Jm÷(1.693×10-11J)＝5.118×10-13m    
６    粒子の質量=9.628×10-41Jm÷軌道＝9.628×10-41Jm÷(5.118×10-13m)＝1.881×10-28Kg    
７    粒子の質量＝1.111×10-17×粒子のエネルギー＝1.111×10-17×1.693×10-11J＝1.881×10-28Kg    
８    電磁気1個の粒子のエネルギーは、1.233×10-41Jm÷(5.118×10-13m)＝2.409×10-29J    
９    ミューオンの中の電磁気の粒子の数は、ミューオンのエネルギー÷電磁気1個の粒子のエネルギー＝1.693×10-11J÷(2.409×10-29J)＝7.028×1017個    
１０    電磁気1個の粒子の質量は、ミューオンの質量÷ミューオンの電磁気の粒子数＝1.881×10-28Kg÷(7.028×1017個)＝2.676×10-46Kg
１１    電磁気1個の粒子のエネルギー÷電磁気1個の粒子の質量＝2.409×10-29J÷(2.676×10-46Kg)＝9.002×1016J/Kg
１２    ミューオンの電磁気のエネルギーは105.658MeV＝1.693×10-11J    
１３    電磁気の軌道は、1.233×10-41Jm÷(1.693×10-11J)＝7.283×10-31m
１４    電磁気の質量＝1.370×10-58Jm÷軌道＝1.370×10-58Jm÷(7.283×10-31m)＝1.881×10-28Kg    
１５    電磁気の質量＝1.111×10-17×電磁気のエネルギー＝1.111×10-17×1.693×10-11J＝1.881×10-28Kg    
１６    電磁気の個数は、ミューオンの電磁気のエネルギー÷電磁気1個のエネルギー＝1.693×10-11J÷(2.409×10-29J)＝7.028×1017個
１７    電磁気1個の質量＝ミューオンの質量÷電磁気の数＝1.881×10-28Kg÷(7.028×1017個)＝2.676×10-46Kg    
１８    電磁気1個のエネルギー÷電磁気1個の質量＝2.409×10-29J÷(2.676×10-46Kg)＝9.002×1016J/Kg    
１９    ミューオンは7.028×1017個の電磁気で構成される電磁気体    
２０    ミューオンは太陽の中のA=2.067×102の場でできた
２１    ミューオンのエネルギーは電子のラブのエネルギー×2.067×102です  
【図１】
2017147799.tif 000031